(57)【特許請求の範囲】
【請求項１】
コネクタハウジングの端子収容室内の可撓係止片により係止される端子を抜き出すための端子抜き治具であって、
前記可撓係止片に当接する係止解除ピンを前端側に有する梁状部材と、該梁状部材を摺動自在に収容する部材ガイド孔と、該ガイド孔に連通するピンガイド孔と、前記端子の電気接触部に対する逃がし部とが穿設され前記コネクタハウジングの開口端に当接してコネクタへの嵌合を位置規制する段部端面が形成されたホルダと、前記部材ガイド孔に弾設され、前記梁状部材を後方に付勢する弾性体とを具備することを特徴とする端子抜き治具。
【請求項２】
前記ホルダの下面に、コネクタ嵌合室の溝と摺動自在に嵌合する凸部が条設されていることを特徴とする請求項１に記載の端子抜き治具。
【発明の詳細な説明】
【０００１】
【発明の属する技術分野】
本発明は、コネクタハウジング内の可撓係止片を撓ませて端子の係止を解除する端子抜き治具に関するものである。
【０００２】
【従来の技術】
図１３及び図１４は、従来の端子抜き治具を示すものである。
図１３は、雌型コネクタハウジング６８に収容され、片持ちの可撓係止片６７により係止されている雄型端子６３の抜き治具６０を示すものである。雄型端子６３は、一方にタブ状の電気接触部６４、他方に電線接続部６５を有し、電気接触部６４と電線接続部６５との中間には係止部６６が備わっている。可撓係止片６７は、コネクタハウジング６８の端子収容室６９の内壁に片持ち梁状に前方へ延長して突設されている。可撓係止片６７は、係止部６６に当接することにより端子を係止させている。端子抜き治具６０は、可撓係止片６７による係止を解除するために、その先端に上向きに傾斜する尖鋭端部６１を有している。
このような抜き治具により、雄型端子６３を抜き取るには、片方の手でコネクタハウジング６８を持ち、他方の手で抜き治具６０の握り部６２を持ち、抜き治具６０先端をコネクタハウジング６８の前方から端子収容室６９内に挿入し、尖鋭端部６１を可撓係止片６７と係止部６６の間隙に押し込んで、可撓係止片６７を上方へ撓ませることにより係止を解除する。最後に電線５０を引っ張ることで、雄型端子６３が端子収容室６９から抜き出される。
図１４は、雄型のコネクタハウジング８０に収容され、可撓係止片８１により係止されている雌型端子７６の抜き治具７０を示すものである。第１の従来技術と重複する部分については詳細な説明を省略する。雌型端子７６は、一方に電線接続部７７、他方に雌型の電気接触部７８、この電気接触部７８の外周上面に可撓係止片８１と当接する凹部を有している。雌型の電気接触部７８は、中空状に形成されており、内部には相手端子となる雄型の電気接触部との接触面圧力が高められるように弾性接触片７９が備わっている。端子抜き治具７０は、ガイド溝を有するアウタケース７３と、ガイド溝に係合し、コネクタハウジング８０前端の端子挿入孔８２に係合する突部７５を有する位置決め部材７４と、位置決め部材７４を付勢する弾性体と、アウターケース７３に固定され、コネクタハウジング８０内の可撓係止片８１に対する係止解除ピン７２を有する解除プレート７１とを備える。係止解除ピン７２は、突部７５より後方に位置しているが、突部７５を端子挿入孔８２に係合させ、前方に押し出すことで突部７５は後退して、係止解除ピン７２が前に出るようになっている。係止解除ピン７２の先端には、可撓係止片８１の先端の傾斜面と同一の角度で同一方向に傾斜する傾斜面が形成されており、端子抜き治具７０を前方に押すことで、係止解除ピン７２の先端の傾斜面が可撓係止片８１の傾斜面に摺接して、可撓係止片８１を上方に撓ませる。これにより、可撓係止片８１の係止が解除され、電線５０を後方に引っ張ることで、雌型端子７６が容易に抜き出される。
【０００３】
【発明が解決しようとする課題】
しかしながら、上記第１の従来技術においては、端子を係止させる弾性係止片に対して係止解除ピンを円滑に位置合わせすることが難しく、端子の係止解除作業に熟練を要するという問題があった。これは、コネクタハウジングを持ちながら、可撓係止片と係止部との僅かな間隙を狙って抜き取り操作をしなければならないからである。また、端子抜き治具の取り扱いが不慣れであると、係止解除ピンをコネクタハウジングの他の部位に誤挿入したりしてコネクタハウジングを傷つけたり、タブ状の電気接触部が邪魔をして、係止解除ピンで端子をつついて変形させたりする心配もあった。さらに、係止解除ピンが細く、先端が比較的鋭利であるために、係止解除ピンの先端で作業者が怪我をするという心配もあった。次に、上記第２の従来技術においては、係止解除ピンの位置を正確に規制することができ、熟練者でなくても確実に端子の係止解除をすることができるものであるが、雌型端子の収容された雄型コネクタ専用のものであり、抜き治具の構成上、雌型コネクタには適用できないという問題があった。従って、雌型コネクタに適用できて、容易に雄型端子の係止解除を行うことのできる端子抜き治具が切望されていた。
本発明は、上記した点に鑑み、雌型コネクタに適用でき、容易かつ確実に雄型端子の係止作業を行うことのできる端子抜き治具を提供することを目的とする。
【０００４】
【課題を解決するための手段】
上記目的を達成するために、本発明の請求項１に記載の発明は、コネクタハウジングの端子収容室内の可撓係止片により係止される端子を抜き出すための端子抜き治具であって、前記可撓係止片に当接する係止解除ピンを前端側に有する梁状部材と、該梁状部材を摺動自在に収容する部材ガイド孔と、該ガイド孔に連通するピンガイド孔と、前記端子の電気接触部に対する逃がし部とが穿設され前記コネクタハウジングの開口端に当接してコネクタへの嵌合を位置規制する段部端面が形成されたホルダと、前記部材ガイド孔に弾設され、前記梁状部材を後方に付勢する弾性体とを具備することを特徴とする。
また、本発明の請求項２に記載の発明は、請求項１において、前記ホルダの下面に、コネクタ嵌合室の溝と摺動自在に嵌合する凸部が条設されていることを特徴とする。
【０００５】
以下に、上記構成に基づく作用・効果を述べると、
請求項１に記載の発明においては、ホルダをコネクタ嵌合室に嵌入し、さらに奥まで押し込むと、ホルダの前端面を嵌合室内の底壁面に押し当てない状態で、ホルダの段部端面をコネクタハウジングの開口端に当て、ホルダの前方向への移動が規制される。このとき、片持ち梁状に突出する雄型端子の電気接触部は、ホルダの逃がし部に挿入される。さらに、梁状部材を前にスライドさせると、係止解除ピンの先端がホルダの前端面から突出して、可撓係止片の先端部に当たる。係止解除ピンの先端部は、可撓係止片の先端部下側に滑り込み、可撓係止片を上方に撓ませて係止が解除される。雄型端子は、電線を引っ張ることにより外される。そして、梁状部材を押す力を緩めると弾性体の弾性力によって、ホルダ支持体の先端面から突出した係止解除ピンがホルダの中に引き込まれ、収納される。
また、請求項２に記載の発明においては、ホルダの下面に条設される鳩尾状の凸部が、コネクタ嵌合室の溝に嵌合することにより、軸方向の位置規制がなされる。
【０００６】
【発明の実施の形態】
以下に、本発明の実施の形態の具体例を図面を用いて詳細に説明する。
図１〜図５は、本発明に係る端子抜き治具の一実施形態を示すものである。
【０００７】
図１及び図２に示す如く、この端子抜き治具１は、分割線３で上下に二分された棒状の把手２と、把手２の先端から突出し、コネクタハウジング３０（図６、図８等）の端子収容室３２内の可撓係止片３１に対する真直状の係止解除ピン７を前端側に有する梁状部材５と、この梁状部材５を摺動自在に収容するホルダ９と、ホルダ９内に弾設され梁状部材５を後方に付勢するコイルばね（弾性体）１０とで構成されている。把手２と梁状部材５とは、一体として形成しても、別体として形成してもよく、別体とした場合は、例えば、梁状部材５に雄ネジを切り、把手２に雌ネジ切って、両者を螺合したものを用いることができる。ホルダ９には、梁状部材５を摺動自在に収容する部材ガイド孔１７と、この部材ガイド孔１７に連通するピンガイド孔２０と、雄型端子４０のタブ状部（電気接触部）４１に対する逃げ孔（逃がし部）１８とが穿設されている。
【０００８】
図３の如く、矩形断面の梁状部材５は、分割線３で上下二段に分割されており、上下の部材５ａ、５ｂは、互いに独立して摺動可能になっていて、両部材５ａ、５ｂの対面する合せ面４は、摺動面になっている。この梁状部材５は、ホルダ９の後端面１２に開口する部材ガイド孔１７から挿入され、収納・保持されている。梁状部材５の一側面の中央には、位置決め突起１１が設けられている。この位置決め突起１１が、部材ガイド孔１７の内壁からホルダ側面１５に向けて開口する長孔１９に係合した状態で、梁状部材５は長孔１９のストロークＬに対応する分だけ前後に移動できるようになっている。ここで、ストロークＬは、係止解除ピン７の突出し長さに等しく、可撓係止片３１の撓み空間に進入することのできる長さに等しい。
【０００９】
梁状部材５を上下二段としたのは、図６に示す雌型のコネクタハウジング３０に収容される雄型端子４０が縦に二段となって配設されているからである。なお、雄型端子４０が縦に三段に配設されているコネクタハウジングの場合には、上下三段に分割された梁状部材を構成することもできる。
【００１０】
梁状部材５の先端側に備わる二本の係止解除ピン７ａ、７ｂは、部材ガイド孔１７から二つに分岐して真っ直ぐ軸方向（Ｘ方向）に延びるピンガイド孔２０ａ、２０ｂに挿入されている。ここで、図４及び図５に示す如く、係止解除ピン７の断面が逆Ｌ字状に形成されているのは、コネクタハウジング３０の可撓係止片３１により係止される雄型端子４０の中間に位置する箱状部（図１１）４３の一側面及び上面に沿って、係止解除ピン７が真っ直ぐ案内されるようにするためである。これにより、係止解除ピン７が曲がって、端子収容室３２内壁を傷つけたり、雄型端子４０を破損したりするのを防止することができる。
【００１１】
係止解除ピン７の先端には、上向き傾斜面の尖鋭端部８（図１２）が形成されている。尖鋭端部８を形成したのは、係止解除ピン７の先端を可撓係止片３１の先端側部に滑り込ませ、可撓係止片３１の先を傾斜面に沿ってスムーズに上方に撓ませて、容易に係止を解除できるようにするためである。
【００１２】
次に、図３及び図４の如く、上述した梁状部材５を収納するホルダ９について説明する。ホルダ９は、コネクタ嵌合室３３に嵌合する小さい箱形状の前半のホルダ嵌合部９ｂと、その後方に続く大きい箱形状のホルダ本体部９ａとで構成されている。ホルダ本体部９ａの段部端面１６は、ホルダ嵌合部９ｂをコネクタ嵌合室３３に嵌合する際のストッパーとなっている。すなわち、この段部端面１６による位置規制は、ホルダ嵌合部９ｂの前端面１３がコネクタ嵌合室３３の底壁面に当たる前に、コネクタハウジング３０の開口端３４に段部端面１６が当たることにより行われ、これにより、係止解除ピン７の前への位置規制が行われる。
【００１３】
ホルダ本体部９ａの一側面１５には、位置決め突起１１と係合する長孔１９が軸方向に開口している。長孔１９のストロークＬは、係止解除ピン７の移動量でもある。なお、ストロークＬが長すぎる場合には、係止解除ピン７が前に深く押し込まれるために、コネクタハウジング３０の端子収容室３２内壁に片持ち状に備わる可撓係止片３１を破損させることがあり、逆に、ストロークＬが短かすぎる場合には、係止解除ピン７が可撓係止片３１の先まで届かずに、可撓係止片３１を上方に撓ませることができなくなることがあり、そのため本発明では、長孔１９のストロークＬを、コネクタ嵌合室３３の深さ等を考慮して、最適なストロークＬに設定している。
【００１４】
図２の如く、ホルダ本体部９ａの部材ガイド孔１７には、梁状部材５を後方に付勢するコイルばね１０が弾設されている。コイルばね１０の一端は梁状部材５の前端面に接し、他端は部材ガイド孔１７の底壁面に接しており、圧縮された状態にある。梁状部材５は、常に、コイルばね１０により後方に付勢されているが、その最後退位置は、位置決め突起１１が長孔１９の後端に当たる位置で規制されている。このとき係止解除ピン７の先端は、ホルダ嵌合部９ｂの前端面１３より後方位置となる。
【００１５】
次に、梁状部材５を前に押し込んだ際は、コイルばね１０が圧縮されるとともに位置決め突起１１が先方に移動し、その最前進位置は、位置決め突起１１が長孔１９の前端に当たる位置で規制され、この時、係止解除ピン７の先端はホルダ嵌合部９ｂの前端面１３より外部に突出した状態となる。この状態は、係止解除ピン７先端が可撓係止片３１を上方に撓ませている状態であり、雄型端子４０に接続されている電線５０を引っ張ることによって、容易に雄型端子４０をコネクタハウジング３０から取り外すことができる状態である。
【００１６】
図４及び図５の如く、ホルダ嵌合部９ｂ底面の幅方向（Ｙ方向）中央には、鳩尾状の凸部２１が条設されている。この凸部２１は、両側にテーパ面２１ａを有し、図６及び図７に示すコネクタ嵌合室３３の下壁面に凹設される溝３５に嵌合することで、係止解除ピン７の幅方向の位置規制が行われるようにしたものである。ホルダ嵌合部９ｂが嵌合したときにホルダ９が自由状態にあったのでは、係止解除ピン７がピン挿入孔３６（図９）に対向して配置されない場合があるからである。
【００１７】
ホルダ嵌合部９ｂの前端面１３には、雄型端子４０のタブ状部４１の逃げ孔１８が開口している。逃げ孔１８は、後方に向かう止まり孔として形成されている。また、逃げ孔１８は、正方形断面として形成されているが、これは雄型端子４０のタブ状部４１の断面形状に対応するものであり、必ずしも正方形に拘泥するものではなく、長方形断面や円形断面に形成してもよい。逃げ孔１８の断面寸法は、タブ状部４１よりやや大きめに形成されていればよく、また、深さ寸法は、タブ状部４１の先端から根本までを完全に逃がすことのできる深さであれば良い。
【００１８】
ここで、タブ状部４１の逃げ孔１８と係止解除ピン７のピンガイド孔２０について説明する。図４及び図５に示す如く、逃げ孔１８とピンガイド孔２０は、互いに平行関係にあり、軸方向に穿設されている点では共通している。しかし、逃げ孔１８は止まり孔であり、ホルダ嵌合部９ｂの前端面１３の幅方向中央に穿設されているのに対し、ピンガイド孔２０は部材ガイド孔１７に連通する通し孔であり、前端面１３の幅方向片側寄りに偏倚して開口している点が相違している。逃げ孔１８が止まり孔、ピンガイド孔２０が通し孔である点は、既述したので説明を省略する。
【００１９】
次に、逃げ孔１８が幅方向中央に位置し、ピンガイド孔２０が幅方向片側寄りに偏倚して位置している点について、これは、雄型端子４０のタブ状部４１の軸心の位置と１次被係止部（図１１）４４ａの位置のズレによるものである。すなわち、雄型端子４０の１次被係止部４４ａが幅方向片側寄りにあり、そして係止解除ピン７の尖鋭端部８に当接する可撓係止片３１の先端側部も、端子の幅方向片側寄りにあるためである。なお、雄型端子４０の１次被係止部４４ａが幅方向中央にある場合には、可撓係止片３１の当接部も幅方向中央に位置するため、ピンガイド孔２０を幅方向中央に穿設する必要がある。
【００２０】
以下に、図８〜図１２を用いて端子抜き治具の使用方法を説明する。
先ず、抜き治具の位置決め方法について説明する。図８及び図９の如く、ホルダ嵌合部９ｂの底面に凸設される凸部２１をコネクタハウジング３０の溝３５に嵌入する。これによって、ホルダ嵌合部９ｂはグラ付きを生ずることなく、幅方向の位置決めがなされる。凸部２１は、鳩尾状に形成されているが、幅方向の位置決め精度の良いものであればよく、矩形断面の凸部であってもよい。ホルダ９を前に押し込むことによって、凸部２１が溝３５に倣った状態でさらに前に進入する。
【００２１】
そして、図１０の如く、さらに前に押し込むと、ホルダ嵌合部９ｂの前端面１３がコネクタ嵌合室３３の底壁面に衝き当たる前に、ホルダ本体部９ａの段部端面１６がコネクタハウジングの開口端３４に当接し、軸方向の正確な位置規制が行われる。これにより、抜き治具は、幅方向及び軸方向の二次元方向に位置決めされ、係止解除ピン７をピン挿入孔３６に対向して配置させることができる。なお、高さ方向（Ｚ方向）の位置決めは、コネクタ嵌合室３３の下壁面が基準面となっている。
【００２２】
次に、雄型端子４０の抜き取り方法について説明する。図１１及び図１２に
示す如く、棒状の雄型端子４０は、一方に電線接続部４２を有し、他方に相手端子である雌型端子と電気的に接触するタブ状部４１を有し、また、電線接続部４２とタブ状部４１との間に箱状部４３を有しており、タブ状部４１をコネクタ嵌合室３３の底壁面より突出した状態でコネクタハウジングの端子収容室３２に収容されている。箱状部４３には、タブ状部４１側の前半部に１次被係止部４４ａが備わり、後半部に２次被係止部４４ｂが備わっている。１次被係止部４４ａは、端子収容室３２内壁に突設された可撓係止片３１により係止される部分であり、２次被係止部４４ｂは、嵌め込み式のスペーサ４５により係止される部分である。
【００２３】
先ず、端子抜き治具１を使用する前に、スペーサ４５を外して２次係止を解除する。そうすることで、雄型端子４０は可撓係止片３１のみにより係止されている状態となる。次に、端子抜き治具１を使用し、上側の梁状部材５ａをコイルばね１０の弾性力に逆らって前に移動させ、梁状部材５ａの前端側に備わる係止解除ピン７ａをホルダ嵌合部９ｂの前端面１３より突出させる。梁状部材５ａを前に押し込むと、係止解除ピン７ａはコネクタハウジング３０のピン挿入孔３６に案内されて中に入っていき、可撓係止片３１の先端に到達する。そして、さらに前へ押し込むと、係止解除ピン７ａ先端の尖鋭端部８の上向傾斜面に沿って、可撓係止片３１が上方へ撓み、係止が解除される。
【００２４】
係止解除ピン７ａの前への移動量は、梁状部材５ａの一側面に備わる位置決め突起１１が長孔１９を前後に移動するストロークＬによって決定されるため、位置決め突起１１が長孔１９の前端に当たって係止が解除されるとそれ以上前方に移動することはできなくなり、押し込み過ぎによる雄型端子４０の破損等が防止される。
【００２５】
この状態から、電線５０を引っ張ることで、雄型端子４０が容易に抜き出される。そして、把手２を前に押す力を緩めると、コイルばね１０の伸び方向の弾性力によって、梁状部材５ａは位置決め突起１１が長孔１９の後端に当たる位置まで後退する。すなわち、係止解除ピン７ａをピン挿入孔３６から抜き出す操作をすることなく、自然にばねの力で抜き出すことができる。
【００２６】
なお、下側の梁状部材５ｂについても、上記の抜き取り方法の操作を繰り返して行うことにより、下側の雄型端子４０の係止を解除して、二つ目の雄型端子４０を取り外すことができる。このように、下側の梁状部材５ｂの操作は、上側の梁状部材５ａが元の位置に復帰した後に行うことができるため、上側の係止解除ピン７ａが突き出したままの状態で折損することが防止され、また、可撓係止片３１の変形等も防止される。なおここで、梁状部材５は上下二段に分割されており、両部材５ａ、５ｂの合せ面４が摺動面になっていることから、一方の部材の操作によって、他方の部材が付き合って一緒に動くことが心配される。しかし、両部材５ａ、５ｂを後方に付勢する各ばね１０ａ、１０ｂの弾性力が、両部材５ａ、５ｂの合せ面４の摩擦力より大きくなっているため、他方の部材が一緒に動くことが阻止される。
【００２７】
このようにして、上下二段の梁状部材５を有する端子抜き治具１は、一度、ホルダ９をコネクタ嵌合室３３に嵌合して位置決めを行うことにより、二個の雄型端子４０の取り外しを行うことができる。
【００２８】
【発明の効果】
以上の如く、請求項１に記載の発明によれば、ホルダをコネクタ嵌合室に嵌入し、さらに奥まで押し込むと、ホルダの前端面を嵌合室内の底壁面に押し当てない状態で、ホルダの段部端面をコネクタハウジングの開口端に当て、ホルダの前方向への移動が規制される。このとき、片持ち梁状に突出する雄型端子の電気接触部は、ホルダの逃がし部に挿入される。さらに、梁状部材を前にスライドさせると、係止解除ピンの先端がホルダの前端面から突出して、可撓係止片の先端部に当たる。係止解除ピンの先端部は、可撓係止片の先端部下側に滑り込み、可撓係止片を上方に撓ませて係止が解除される。雄型端子は、電線を引っ張ることにより外される。そして、梁状部材を押す力を緩めると弾性体の弾性力によって、ホルダ支持体の先端面から突出した係止解除ピンがホルダの中に引き込まれ、収納される。これにより、雄型端子のタブ状電気接触部に傷を付けることなく、容易かつ安全に端子の係止を解除することができる。
【００２９】
また、請求項２に記載の発明によれば、請求項１において、ホルダの下面に条設される鳩尾状の凸部が、コネクタ嵌合室の溝に嵌合することにより、幅方向の位置規制がなされるから、誤挿入するといった間違いを無くすことができ、端子抜き取り作業を容易に行うことができる。
【図面の簡単な説明】
【図１】本発明の端子抜き治具の一実施形態を示す全体斜視図である。
【図２】図１に示す端子抜き治具の縦断面図である。
【図３】図１に示す端子抜き治具の梁状部材が上下二段に分割されている状態を説明するための斜視図である。
【図４】図１に示す端子抜き治具を先端側からみた全体斜視図である。
【図５】図４に示す全体斜視図において、ホルダ底面の鳩尾状のあり状凸部を示す拡大斜視図である。
【図６】雌型コネクタハウジングの一実施形態を示す全体斜視図である。
【図７】図６に示す全体斜視図において、あり溝を示すＡ部拡大斜視図である。
【図８】図１に示す端子抜き治具の使用方法を説明するための図であり、図６に示す雌型コネクタハウジングに抜き治具先端が嵌入する状態を示す斜視図である。
【図９】図８に示す斜視図において、端子抜き治具のあり状凸部がコネクタハウジングのあり溝に嵌入する状態を示す拡大斜視図である。
【図１０】同じく端子抜き治具の使用方法を説明するための図であり、抜き治具が前に押し込まれ、ホルダ本体の段部端面により位置規制された状態を示す斜視図である。
【図１１】雌型のコネクタに端子抜き治具を適用した状態を示したものである。
【図１２】図１１のＢ部を拡大した図である。
【図１３】従来の端子抜き治具の一例を示す図である。
【図１４】従来の端子抜き治具の他の一例を示す図である。
【符号の説明】
１    端子抜き治具
３    分割線
４    合せ面
５    梁状部材
７    係止解除ピン
９    ホルダ
１０  コイルばね
１１  位置決め突起
１６  段部端面
１７  部材ガイド孔
１８  逃げ孔
１９  長孔
２０  ピンガイド孔
２１  あり状凸部
３０  コネクタ
３１  可撓係止片
３４  開口端
３５  あり溝
４０  雄型端子
４１  タブ状部
４３  箱状部
【図１】
0003745953.tif 000002
【図２】
0003745953.tif 000003
【図３】
0003745953.tif 000004
【図４】
0003745953.tif 000005
【図５】
0003745953.tif 000006
【図６】
0003745953.tif 000007
【図７】
0003745953.tif 000008
【図８】
0003745953.tif 000009
【図９】
0003745953.tif 000010
【図１０】
0003745953.tif 000011
【図１１】
0003745953.tif 000012
【図１２】
0003745953.tif 000013
【図１３】
0003745953.tif 000014
【図１４】
0003745953.tif 000015